(57)【要約】【課題】住人が安心して帰宅できるとともに、住人が帰宅した場合にはその識別や確認をすることができる通知システムを提供すること。【解決手段】人の出入口として設定された第１建具を含む建具が施錠または解錠されたことを検知する検知部と、検知した解錠の情報および検知部のＩＤ情報を含む解錠信号を通信する通信部と、解錠信号が第１建具に関するかを判断し、第１建具に関する解錠信号である場合は解錠が登録者によって実施されたか否かを判断する判断部と、解錠が登録者によって実施された場合は、解錠を実施した登録者のＩＤ情報を少なくとも解錠を実施した登録者以外の登録者に通知する通知部と、通知システムを警戒モードに設定する設定部と、を備え、解錠が登録者以外の者によって実施され、通知システムが警戒モードに設定されている場合には、第１建具のＩＤ情報と第１建具が解錠されたことに関する情報とを登録者に通知する通知システム。【選択図】図４
2015191602.tif 000002
【特許請求の範囲】
【請求項１】
住宅において人の出入口として設定された第１建具を含む、施錠および解錠が可能な複数の建具のそれぞれに設けられ、該建具が施錠または解錠されたことを検知する検知部と、
前記検知部が検知した解錠の情報および前記検知部のＩＤ情報を含む解錠信号を通信する通信部と、
前記解錠信号を受け付け、前記解錠信号が前記第１建具に関する解錠信号であるかを判断し、前記解錠信号が前記第１建具に関する解錠信号である場合は前記解錠が予め登録された登録者によって実施されたか否かを判断する判断部と、
前記解錠が登録者によって実施された場合は、前記解錠を実施した登録者のＩＤ情報を前記登録者のうち少なくとも前記解錠を実施した登録者以外の登録者に通知する通知部と、
当該通知システムを警戒モードに設定する設定部と、
を備え、
前記解錠が登録者以外の者によって実施された場合は、前記判断部は当該通知システムが警戒モードに設定されているか否かを判断し、
当該通知システムが警戒モードに設定されている場合には、前記通知部は、前記第１建具のＩＤ情報と前記第１建具が解錠されたことに関する情報とを前記登録者に通知することを特徴とする通知システム。
【請求項２】
当該通知システムが警戒モードに設定されている場合に前記解錠が登録者によって実施された場合は、前記設定部は前記警戒モードを解除することを特徴とする請求項１に記載の通知システム。
【請求項３】
当該通知システムが警戒モードに設定されていない場合に、前記第１建具のＩＤ情報と前記第１建具が解錠されたことに関する情報とを記憶する記憶部をさらに備えることを特徴とする請求項１または２に記載の通知システム。
【請求項４】
前記解錠信号が前記第１建具以外の建具に関する解錠信号である場合は、前記判断部は当該通知システムが警戒モードに設定されているか否かを判断し、
当該通知システムが警戒モードに設定されている場合には、前記通知部は、前記第１建具以外の建具のＩＤ情報と該建具が解錠されたことに関する情報とを前記登録者に通知することを特徴とする請求項１〜３のいずれか一つに記載の通知システム。
【請求項５】
当該通知システムが警戒モードに設定されていない場合に、前記第１建具以外の建具のＩＤ情報と該建具が解錠されたことに関する情報とを記憶する記憶部をさらに備えることを特徴とする請求項４に記載の通知システム。
【請求項６】
前記検知部は自己発電機構を備えることを特徴とする請求項１〜５のいずれか一つに記載の通知システム。
【請求項７】
前記通知部は前記通知を前記登録者の携帯端末に対して行うことを特徴とする請求項１〜６のいずれか一つに記載の通知システム。
【発明の詳細な説明】
【技術分野】
【０００１】
本発明は、通知システムに関するものであり、特に、住人が安心して帰宅できる通知システムに関するものである。
【背景技術】
【０００２】
従来の防犯装置として、侵入者を検知すると、その検出時刻を履歴情報として記憶し、その履歴情報によって侵入者があったかどうかを確認できるように構成された防犯装置が開示されている（たとえば特許文献１参照）。特許文献１に記載の防犯装置では、履歴情報をドアスコープを介して視認できるように構成されている。
【０００３】
この防犯装置では、留守宅に帰宅した住人が、自宅内に侵入者があったか否か、及び侵入者が室内に潜んでいないかどうかを自宅に入る前に確認することができるとされている。
【先行技術文献】
【特許文献】
【０００４】
【特許文献１】特許第４９４２７４７号公報
【発明の概要】
【発明が解決しようとする課題】
【０００５】
しかしながら、特許文献１の防犯装置は、自宅内に侵入者があったか否か、及び侵入者が室内に潜んでいないかどうかを自宅に入る前に確認することはできるとされているものの、侵入者ではない住人が帰宅した場合にその識別や確認をできるものではなかった。
【０００６】
本発明は、上記実情に鑑みて、住人が安心して帰宅できるとともに、住人が帰宅した場合にはその識別や確認をすることができる通知システムを提供することを目的とする。
【課題を解決するための手段】
【０００７】
上記目的を達成するため、本発明に係る通知システムは、住宅において人の出入口として設定された第１建具を含む、施錠および解錠が可能な複数の建具のそれぞれに設けられ、該建具が施錠または解錠されたことを検知する検知部と、前記検知部が検知した解錠の情報および前記検知部のＩＤ情報を含む解錠信号を通信する通信部と、前記解錠信号を受け付け、前記解錠信号が前記第１建具に関する解錠信号であるかを判断し、前記解錠信号が前記第１建具に関する解錠信号である場合は前記解錠が予め登録された登録者によって実施されたか否かを判断する判断部と、前記解錠が登録者によって実施された場合は、前記解錠を実施した登録者のＩＤ情報を前記登録者のうち少なくとも前記解錠を実施した登録者以外の登録者に通知する通知部と、当該通知システムを警戒モードに設定する設定部と、を備え、前記解錠が登録者以外の者によって実施された場合は、前記判断部は当該通知システムが警戒モードに設定されているか否かを判断し、当該通知システムが警戒モードに設定されている場合には、前記通知部は、前記第１建具のＩＤ情報と前記第１建具が解錠されたことに関する情報とを前記登録者に通知することを特徴とする。
【０００８】
また、本発明は、上述した通知システムにおいて、当該通知システムが警戒モードに設定されている場合に前記解錠が登録者によって実施された場合は、前記設定部は前記警戒モードを解除することを特徴とする。
【０００９】
また、本発明は、上述した通知システムにおいて、当該通知システムが警戒モードに設定されていない場合に、前記第１建具のＩＤ情報と前記第１建具が解錠されたことに関する情報とを記憶する記憶部をさらに備えることを特徴とする。
【００１０】
また、本発明は、上述した通知システムにおいて、前記解錠信号が前記第１建具以外の建具に関する解錠信号である場合は、前記判断部は当該通知システムが警戒モードに設定されているか否かを判断し、当該通知システムが警戒モードに設定されている場合には、前記通知部は、前記第１建具以外の建具のＩＤ情報と該建具が解錠されたことに関する情報とを前記登録者に通知することを特徴とする。
【００１１】
また、本発明は、上述した通知システムにおいて、当該通知システムが警戒モードに設定されていない場合に、前記第１建具以外の建具のＩＤ情報と該建具が解錠されたことに関する情報とを記憶する記憶部をさらに備えることを特徴とする。
【００１２】
また、本発明は、上述した通知システムにおいて、前記検知部は自己発電機構を備えることを特徴とする。
【００１３】
また、本発明は、上述した通知システムにおいて、前記通知部は前記通知を前記登録者の携帯端末に対して行うことを特徴とする。
【発明の効果】
【００１４】
本発明によれば、住人は帰宅前に留守宅に侵入者があったか否かを知ることができるので、住人は侵入者と鉢合わせするという事態を回避でき、安心して帰宅できるとともに、他の住人が帰宅した場合にはその識別や確認をすることができるという効果を奏する。
【図面の簡単な説明】
【００１５】
【図１】図１は、本発明の実施の形態に係る通知システムの構成図である。
【図２】図２は、検知通信装置の構成図である。
【図３】図３は、警戒モードの設定の一例について説明するフロー図である。
【図４】図４は、通知システムの動作の一例を示すフロー図である。
【発明を実施するための形態】
【００１６】
以下に、図面を参照して本発明に係る通知システムの実施の形態を詳細に説明する。なお、この実施の形態によりこの発明が限定されるものではない。
【００１７】
図１は、本発明の実施の形態に係る通知システムの構成図である。図１に示すように通知システム１００は、住宅１０に適用されているものである。
【００１８】
はじめに、住宅１０について説明する。住宅１０は、複数の建具として、人の出入口として設定された第１建具である玄関扉１１と、第１建具以外の建具であり、人の出入口として設定されていない建具である窓１２、１３、１４、１５とを備えている。
【００１９】
玄関扉１１はドアノブ１１ａを備えている。ドアノブ１１ａには電子錠１１ｂが設けられている。玄関扉１１は、たとえばカード型の電子鍵を電子錠１１ｂに近づけることにより、電子鍵に記憶されたＩＤ情報が電子錠１１ｂに読みとられ、そのＩＤ情報が電子錠１１ｂに記憶されたＩＤ情報と一致した場合に、施錠または解錠が可能となるものである。なお、本実施の形態では、住宅１０は、人の出入口として設定された第１建具として玄関扉１１だけを備えているが、玄関扉１１以外にも第１建具としての建具、たとえば勝手口の扉を備えていてもよい。また、電子錠１１ｂは無線通信機能を備えており、施錠または解錠がされたときはそれを行った電子鍵のＩＤ情報をサーバに送信できるようになっている。
【００２０】
窓１２、１３、１４、１５は、施錠および解錠が可能なものであれば特に限定はされないが、本実施の形態では、障子を閉じると障子および枠のいずれか一方に設けられたラッチ爪が他の一方に係合して施錠され、係合を解くことで解錠されるラッチ式の施錠構造を有する窓であるとする。
【００２１】
つぎに、通知システム１００について説明する。通知システム１００は、検知通信装置１０１、１０２、１０３、１０４、１０５と、受信機１１０と、無線ルータ１２０と、終端装置１３０と、サーバ１４０とを備えている。
【００２２】
はじめに、検知通信装置について説明する。検知通信装置１０１、１０２、１０３、１０４、１０５は、それぞれ玄関扉１１の枠、窓１２、１３、１４、１５の枠または障子にそれぞれに設けられている。
【００２３】
図２は、検知通信装置の構成図である。まず、図２（ａ）に示すように、検知通信装置１０１は、検知部１０１ａと、制御部１０１ｂと、通信部１０１ｃとを備えている。
【００２４】
検知部１０１ａは、玄関扉１１が施錠または解錠されたことを検知し、検知信号を出力できるように構成されている。検知部１０１ａは、たとえば電子錠１１ｂから無線または有線にて、施錠または解錠に関する情報を取得し、玄関扉１１が施錠または解錠されたことを検知する。また、このとき、検知部１０１ａは、電子錠１１ｂから無線または有線にて、施錠または解錠に使用された電子鍵のＩＤ情報も取得することができる。
【００２５】
制御部１０１ｂは、検知部１０１ａからの検知信号が入力されると、それが施錠によるものか解錠によるものかを判断するとともに、検知信号の入力の情報を記憶することができるように構成されている。また、制御部１０１ｂは、記憶した情報を通信部１０１ｃから外部に無線通信信号で通信するために信号処理をしたり、通信部１０１ｃが受信した無線通信信号を信号処理しこれに含まれる情報を記憶したり、記憶された情報およびプログラムを用いて所定の演算処理をすることができるように構成されている。また、制御部１０１ｂは、検知部１０１ａのＩＤ情報を記憶している。このＩＤ情報はこの検知通信装置１０１が設けられている建具である玄関扉１１のＩＤ情報としても使用される。また、制御部１０１ｂは時計を内蔵している。
【００２６】
通信部１０１ｃは、外部と無線通信信号を送受信することができるように構成されている。通信部１０１ｃは無線通信ネットワーク２を経由して無線ルータ１２０と接続できる。
【００２７】
つぎに、図２（ｂ）に示すように、検知通信装置１０２は、検知部１０２ａと、制御部１０２ｂと、通信部１０２ｃとを備えている。制御部１０２ｂおよび通信部１０２ｃはそれぞれ制御部１０１ｂおよび通信部１０１ｃと同様の構成を備えるため、説明を省略する。
【００２８】
検知部１０２ａは、窓１２が施錠または解錠されたことを検知し、検知信号を出力できるように構成されている。検知部１０２ａは、たとえば窓１２が施錠または解錠されたときの機械的動作にて発電を行う自己発電機構を備えることが好ましい。この場合、窓１２が施錠または解錠されると、その度に発電が起こり、これによって生成された検出信号が出力される。自己発電機構としては、たとえば圧電素子を備える機構や電磁誘導を用いた機構など、公知の機構が使用できる。なお、上述した検知部１０１ａも、このような自己発電機構を備えていてもよい。また、この自己発電機構は、発電により得た電力を、検知通信装置における検知、制御、通信の各動作に利用できるように構成することが好ましい。
【００２９】
検知通信装置１０３、１０４、１０５は、検知通信装置１０２と同様の構成を備えるため、説明を省略する。
【００３０】
図１に戻って説明を続ける。受信機１１０は、住宅１０内に設置されており、検知通信装置１０２、１０３、１０４、１０５から特定小電力無線１による無線通信信号を受信することができるとともに、ＷｉＦｉなどの無線通信ネットワーク２を経由して無線ルータ１２０に無線通信信号を送信できるように構成されている。
【００３１】
無線ルータ１２０および終端装置１３０は、いずれも住宅１０内に設置されている。無線ルータ１２０は無線通信ネットワーク２を経由して受信機１１０と接続している。終端装置１３０は、無線ルータ１２０からケーブル３を介して送られてきた通信信号を変換し、サーバ１４０が接続されたインターネット回線４に接続する。これによって、検知通信装置１０１、１０２、１０３、１０４、１０５はインターネットを経由してサーバ１４０と接続する。
【００３２】
サーバ１４０は、通知システム１００に関する各種サービスを提供するものであり、検知通信装置１０１、１０２、１０３、１０４、１０５から送信されてきた情報等に対して各種判断を行う判断部１４１と、通知システム１００を後述する警戒モードに設定したり設定を解除したりする設定部１４２と、判断部１４１の判断結果に基づいて、移動通信ネットワーク５や住宅１０の無線通信ネットワーク２を介して登録者の携帯端末１５０に各種通知を行う通知部１４３と、検知通信装置１０１、１０２、１０３、１０４、１０５から送信されてきた情報等を記憶する記憶部１４４と、判断部１４１、設定部１４２、通知部１４３および記憶部１４４を制御するために各種演算処理を行う制御部１４５とを備えている。ここで、携帯端末１５０は、携帯電話、スマートフォン、タブレット端末等の、情報通信機能を有する携帯端末である。
【００３３】
検知通信装置１０１では、検知部１０１ａが玄関扉１１の解錠を検知し、検知信号を出力する。制御部１０１ｂは、検知信号が入力されると、解錠の情報、検知部１０１ａのＩＤ情報、および解錠に使用された電子鍵のＩＤ情報を含む解錠信号を生成し、無線通信信号として通信部１０１ｃに送信させる。なお、解錠の情報は、解錠がされたことと、解錠がされた時刻とに関する情報を含む。同様に、検知通信装置１０２では、検知部１０２ａが解錠を検知し、検知信号を出力する。制御部１０２ｂは、検知信号が入力されると、解錠の情報および検知部１０２ａのＩＤ情報を含む解錠信号を生成し、無線通信信号として通信部１０２ｃに送信させる。検知通信装置１０３、１０４、１０５も検知通信装置１０２と同様に動作する。また、サーバ１４０は、解錠信号を受け付けるとこれを復調して情報を取り出し、記憶部１４４に記憶する。
【００３４】
（警戒モードの設定）
つぎに、通知システム１００における警戒モードについて説明する。警戒モードとは、住宅１０の住人が全員外出し、留守宅とされる場合に設定される通知システム１００の動作モードである。
ここで、登録者について説明する。この通知システムでは、住宅１０に居住している住人（家族等）を登録者として登録し、あらかじめサーバ１４０の記憶部１４４にその情報を記憶させておく。記憶させる情報としては、玄関扉１１の電子錠１１ｂに対する各登録者の電子鍵のＩＤ情報、および各登録者の携帯端末１５０に通知を行う際に必要な情報である。
【００３５】
図３は、警戒モードの設定の一例について説明するフロー図である。なお、警戒モードの設定については、携帯端末１５０の専用アプリを用いて設定できるが、たとえば専用の設定機器を用いて行ってもよい。
警戒モードの設定は、携帯端末１５０の専用アプリ等を用いて、警戒モードを設定するための「警戒」ボタンを押すことにより行われる。なお、この「警戒」ボタンは、押すたびに警戒モードの設定と解除が交互に行われるトグルスイッチになっているとする。
【００３６】
はじめに、ステップＳ１０１において、サーバ１４０の判断部１４１は、「警戒」ボタンが押されたかどうかを判断する。押されていない場合（ステップＳ１０１、Ｎｏ）は、ステップＳ１０１を繰り返し行う。ここで、「警戒」ボタンを押すと、専用アプリは、「警戒」ボタンが押されたことを、移動通信ネットワーク５や無線通信ネットワーク２を介してサーバ１４０に送信する。「警戒」ボタンが押された場合（ステップＳ１０１、Ｙｅｓ）は、ステップＳ１０２に進む。
【００３７】
ステップＳ１０２において、判断部１４１は、現在（「警戒」ボタンが押された時点）が警戒モードであるか否かを判断する。なお、現在が警戒モードであるか否かの情報はたとえば記憶部１４４に記憶されている。現在が警戒モードである場合（ステップＳ１０２、Ｙｅｓ）は、その「警戒」ボタンの釦押は、警戒モードを解除するために行ったものであると判断する。そこで、ステップＳ１０３において、サーバ１４０の設定部１４２は、警戒モードを解除し、警戒モードを解除したことを登録者の携帯端末１５０に通知し、ステップＳ１０１に戻る。この通知は携帯端末１５０のアプリ上で、文字やアイコン等で表示されるが、電子メールによる通知でもよい。
【００３８】
現在が警戒モードでない場合（ステップＳ１０２、Ｎｏ）は、その「警戒」ボタンの釦押は、警戒モードを設定するために行ったものであると判断する。そこで、つぎにステップＳ１０４において、判断部１４１は、全ての建具が施錠されているか否かを判断する。なお、各建具が施錠されているか否かの情報は記憶部１４４に記憶されている。
【００３９】
ステップＳ１０４において、全ての建具が施錠されている場合（ステップＳ１０４、Ｙｅｓ）は、ステップＳ１０５において、サーバ１４０の設定部１４２は、通知システム１００を警戒モードに設定する。また、通知システム１００が警戒モードに設定されたことが記憶部１４４に記憶される。これによって、警戒モードへの移行が行われる。さらに、ステップＳ１０４においては、通知部１４３は、警戒モードへ移行したことを登録者の携帯端末１５０に通知する。その後ステップＳ１０１に戻る。
【００４０】
ステップＳ１０４において、全ての建具が施錠されているわけではない場合（ステップＳ１０４、Ｎｏ）は、ステップＳ１０６において、通知部１４３は、施錠されていない建具のＩＤ情報を登録者の携帯端末１５０に通知する。その後ステップＳ１０１に戻る。これによって、登録者はどの建具が施錠されていないか、あるいは施錠し忘れたかを知ることができるので、その後施錠などの必要な措置を取ることができる。
【００４１】
（通知システムの動作フロー）
図４は、通知システムの動作の一例を示すフロー図である。以下、具体例をもとに通知システム１００の動作フローについて説明する。なお、前提条件として、住宅１０は登録された住人である家族（親、姉、弟で構成されるとする）が全員外出して留守宅とされており、全ての建具が施錠されているとする。また、通知システム１００は警戒モードに設定されているとする。また、外出時に複数人が同時に外出した場合には、全員が電子錠１１ｂに電子鍵を近づけ、外出したことを登録したこととする。また、以下では、留守宅に初めに弟、次に姉が帰宅し、それぞれ玄関扉１１を自分の電子鍵で正常に解錠するとする。
【００４２】
（最初の帰宅）
はじめに、警戒モードにある住宅１０において、弟が帰宅し、玄関扉１１を自分の電子鍵で正常に解錠する。すると、解錠された建具に設けられた検知通信装置１０１において、検知部１０１ａが解錠を検知し、検知信号を出力する。制御部１０１ｂは、検知信号が入力されると、解錠の情報、検知部１０１ａのＩＤ情報、および解錠に使用された電子鍵のＩＤ情報を含む解錠信号を生成し、無線通信信号として通信部１０１ｃに送信させる。解錠信号は無線ルータ１２０、終端装置１３０を介してサーバ１４０に送信される。
【００４３】
ここで、ステップＳ２０１では、サーバ１４０の判断部１４１は、解錠信号を受付けたかを判断する。受付けていない場合（ステップＳ２０１、Ｎｏ）は、ステップＳ２０１を繰り返し行うが、ここでは、サーバ１４０は解錠信号を受付けるので（ステップＳ２０１、Ｙｅｓ）、ステップＳ２０２に進む。
【００４４】
ステップＳ２０２において、サーバ１４０の判断部１４１は、受付けた解錠信号が、出入り口として設定されている第１建具に関するものあるか否かを判断する。ここでは、判断部１４１は、解錠信号に含まれるＩＤ情報から、解錠信号が玄関扉１１に関するものであり、出入り口として設定されている第１建具に関するものであると判断し（ステップＳ２０２、Ｙｅｓ）、ステップＳ２０３に進む。
【００４５】
ステップＳ２０３において、判断部１４１は、解錠が登録者によって実施されたか否かを判断する。この判断は解錠情報に含まれる電子鍵のＩＤ情報をもとに行われる。ここでは登録者である弟の電子鍵で正常に解錠されたので、解錠が登録者によって実施されたと判断し（ステップＳ２０３、Ｙｅｓ）、ステップＳ２０４に進む。
【００４６】
ステップＳ２０４では、判断部１４１は、通知システム１００が警戒モードに設定されているか否かを判断する。ここでは警戒モードであると判断し、ステップＳ２０５に進む。
【００４７】
このとき、玄関扉１１の解錠を行った弟は、警戒モードにある留守宅に最初に帰宅した帰宅者であると判断される。そこで、ステップＳ２０５において、設定部１４２が通知システム１００の警戒モードを解除するとともに、通知部１４３は、解錠を実施した弟のＩＤ情報および解錠の時刻を、移動通信ネットワーク５を介して宅外にいる登録者である家族の携帯端末１５０に通知することで、誰が帰宅したかの通知を行う。この通知は携帯端末１５０のアプリ上で、文字やアイコン等で表示されるが、電子メールによる通知でもよい。なお、この通知は、少なくとも解錠を実施した弟以外の登録者の一部（たとえば親）または全員に行えばよいが、登録者全員に行ってもよい。この通知をプッシュ通知により行うことで、たとえば両親は子供の帰宅を即座に知ることができる。動作フローはその後ステップＳ２０１に戻る。
【００４８】
（二人目の帰宅）
つぎに、姉が帰宅し、玄関扉１１を自分の電子鍵で正常に解錠する。すると、上記と同様に、ステップＳ２０１、Ｓ２０２、Ｓ２０３が順次行われる。つぎに、ステップＳ２０４では、判断部１４１は、通知システム１００が警戒モードに設定されているか否かを判断する。ここでは、弟の帰宅により警戒モードが解除されたので、警戒モードの設定されていないと判断し（ステップＳ２０４、Ｎｏ）、ステップＳ２０６に進む。
【００４９】
このとき、玄関扉１１の解錠を行った姉は、留守宅ではない住宅１０に帰宅した帰宅者（ここでは二人目の帰宅者）であると判断される。そこで、ステップＳ２０６において、通知部１４３は、解錠を実施した姉のＩＤ情報および解錠の時刻を、移動通信ネットワーク５や無線通信ネットワーク４を介して家族の携帯端末１５０に通知することで、誰が帰宅したかの通知を行う。この通知は携帯端末１５０のアプリ上で、文字やアイコン等で表示される。なお、この通知は、少なくとも解錠を実施した姉以外の登録者の一部（たとえば親）または全員に行えばよいが、登録者全員に行ってもよい。この通知をプッシュ通知により行うことで、たとえば両親は子供の帰宅を即座に知ることができる。また、帰宅者の通知が、アプリ上で帰宅者と帰宅時刻とが時系列的に並べて表示されるようにすれば、家族の帰宅情報が一覧性良く表示されることとなるので好ましい。動作フローはその後ステップＳ２０１に戻る。
【００５０】
その後の帰宅者により玄関扉１１が自分の電子鍵で正常に解錠された場合は、上記姉の場合と同じステップが行われる。
【００５１】
（玄関扉の不正解錠）
つぎに、登録者以外の者によって建具の解錠が実施された場合、いわゆる不正解錠が行われた場合の動作フローについて説明する。はじめに、警戒モードにある留守宅で玄関扉１１が不正解錠された場合について説明する。
【００５２】
玄関扉１１が不正解錠されると、ステップＳ２０１、Ｓ２０２が順次行われる。つぎに、ステップＳ２０３では、判断部１４１は、解錠が登録者によって実施されたか否かを判断する。ここでは不正解錠が行われたので、解錠が登録者以外の者によって実施されたと判断し（ステップＳ２０３、Ｎｏ）、ステップＳ２０７に進む。
【００５３】
ステップＳ２０７では、判断部１４１は、通知システム１００が警戒モードに設定されているか否かを判断する。ここでは警戒モードであると判断し、ステップＳ２０８に進む。
【００５４】
このとき、玄関扉１１が不正解錠されたため、何らかの不審な侵入者の侵入があったと判断される。そこで、ステップＳ２０８において、通知部１４３は、不正解錠された玄関扉１１のＩＤ情報と、玄関扉１１が解錠された「開」状態であるという情報と、解錠の時刻とを登録者である家族の携帯端末１５０に通知する。これによって、家族は留守中に侵入者があったことを知ることができる。特に、この通知をプッシュ通知により行うことで、家族は侵入者があったことを即座に知ることができる。動作フローはその後ステップＳ２０１に戻る。
【００５５】
（窓の不正解錠）
つぎに、警戒モードにある留守宅で窓が不正解錠された場合の動作フローについて説明する。以下では窓が窓１２である場合について説明するが、他の窓１３、１４、１５の場合も同様な動作フローが実施される。
【００５６】
窓１２が不正解錠されると、ステップＳ２０１が行われる。つぎに、ステップＳ２０２では、判断部１４１は、ステップＳ２０１で受付けた解錠信号に含まれるＩＤ情報から、解錠信号が窓１２に関するものであり、出入り口として設定されている第１建具以外に関するものあると判断し（ステップＳ２０２、Ｎｏ）、ステップＳ２０７に進む。
【００５７】
ステップＳ２０７では、判断部１４１は、通知システム１００が警戒モードに設定されているか否かを判断する。ここでは警戒モードであると判断し、ステップＳ２０８に進む。
【００５８】
このとき、警戒モードにある留守宅の窓１２が不正解錠されたため、何らかの不審な侵入者の侵入があったと判断される。そこで、ステップＳ２０８において、通知部１４３は、不正解錠された窓１２のＩＤ情報と、窓１２が「開」状態であるという情報と、解錠の時刻とを登録者である家族の携帯端末１５０に通知し、その後ステップＳ２０１に戻る。これによって、家族は留守中に侵入者があったことを知ることができる。
【００５９】
（日常的な操作）
上記の玄関扉または窓の不正解錠のフローにおいて、ステップＳ２０７では、判断部１４１は、通知システム１００が警戒モードに設定されていると判断しているが、警戒モードが解除されていると判断した場合には、ステップＳ２０９に進む。
【００６０】
このときは、通知システム１００が警戒モードに設定されていないため、玄関扉１１または窓１２の解錠は、不正な解錠ではなく、日常的な解錠操作（たとえば換気等のため）であると判断される。そこで、ステップＳ２０９において、サーバ１４０は、解錠された建具のＩＤ情報と、その建具が「開」状態であることと、解錠の時刻とを記憶部１４４に記憶させ、記録する。これらの情報は、日常的な建具の使用状況に関する情報として記録される。そして、要求があった場合には通知部１４３が家族の携帯端末１５０に通知するようにしてもよい。
【００６１】
本実施の形態に係る通知システム１００では、警戒モードに設定されている場合において、玄関扉１１の解錠が家族によって実施されたと判断した場合は、解錠を実施した家族が誰かを他の家族に通知し、玄関扉１１または窓１２、１３、１４、１５の解錠が家族以外によって実施されたと判断した場合は、どの建具が解錠されたかを家族に通知する。その結果、家族は帰宅前に留守宅に侵入者があったか否かを知ることができるとともに、家族の誰が帰宅したかを知ることができる。したがって、この通知システム１００によれば、侵入者と鉢合わせするという事態を回避でき、家族が安心して帰宅できるとともに、家族の帰宅の識別や確認をすることができる。
【００６２】
また、この通知システム１００によれば、最初の帰宅者の帰宅時に通知システム１００の警戒モードが解除されるので、その後帰宅する家族は、警戒モードを誤動作させることなく自宅に入ることができる。
【００６３】
また、この通知システム１００によれば、日常的な建具の操作を行う際にも、警戒モードを誤動作させることなく当該操作を行うことができ、さらに日常的な建具の使用状況に関する情報を記録することができる。
【００６４】
なお、上記実施の形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【００６５】
たとえば、上述した通知システム１００の動作フローにおいて、前提条件として、住宅１０は留守宅とされており、全ての建具が施錠されているとしている。しかしながら、通知システム１００の動作の前提条件としてはこれに限られない。たとえば、住宅１０は留守宅とされており、通知システム１００が警戒モードに設定されているが、いくつかの建具が解錠された状態であってもよい。このような状況としては、たとえば換気のために特定の窓を開放したまま短期間留守宅とする場合などがある。これを実現するためには、通知システム１００は、上述したように全ての建具が施錠されている場合に警戒モードに移行できるのに加えて、施錠されていない建具があっても警戒モードに移行できるようにも設定できる構成とされていることが好ましい。
【００６６】
また、上述した通知システム１００では、窓１２、１３、１４、１５は、ラッチ式の施錠構造を有するものとしたが、他の施錠構造、たとえばクレセント錠を用いた窓でもよい。このときに設けられる検知通信装置の検知部は、クレセント錠による施錠または解錠がされたときの機械的動作にて発電を行う自己発電機構を備えることが好ましい。
【００６７】
また、上述した通知システム１００では、通知部１４３は、登録者の携帯端末１５０に通知を行うが、登録者が使用可能であるが携帯式でない端末を介して登録者に通知を行うようにしてもよい。また、上述した通知システム１００では、玄関扉１１には検知通信装置１０１と電子錠１１ｂとが設けられているが、電子錠１１ｂが検知通信装置の機能を備えるようにすれば、検知通信装置１０１は設けなくてもよい。
【符号の説明】
【００６８】
１  特定小電力無線、２  無線通信ネットワーク、３  ケーブル、４  インターネット回線、５  移動通信ネットワーク、１０  住宅、１１  玄関扉、１１ａ  ドアノブ、１１ｂ  電子錠、１２，１３，１４，１５  窓、１００  通知システム、１０１，１０２，１０３，１０４，１０５  検知通信装置、１０１ａ，１０２ａ  検知部、１０１ｂ，１０２ｂ  制御部、１０１ｃ，１０２ｃ  通信部、１１０  受信機、１２０  無線ルータ、１３０  終端装置、１４０  サーバ、１４１  判断部、１４２  設定部、１４３  通知部、１４４  記憶部、１４５  制御部、１５０  携帯端末
【図１】
2015191602.tif 000003
【図２】
2015191602.tif 000004
【図３】
2015191602.tif 000005
【図４】
2015191602.tif 000006